(57)【特許請求の範囲】
【請求項１】
薄型シート状物を天地方向に積層した状態で収容可能に構成され、上面側から供給された薄型シート状物が収容され、収容した薄型シート状物が下面側から排出される収容領域を有するシートストッカであって、
前記収容領域を挟んで対向して設けられた２つのシート搬送機構と、
前記２つのシート搬送機構の動作を制御する制御手段とを有し、
前記２つのシート搬送機構のそれぞれは、
前記収容領域の上面側から下面側に延び、該下面側から前記収容領域に対向しない領域を介して前記上面側に戻るようにループ状に設けられた移動経路と、
前記移動経路上を移動可能に設けられ、前記収容領域に供給された薄型シート状物が搭載される複数のシート搭載手段と、
前記複数のシート搭載手段を、前記移動経路上にて前記収容領域の上面側から下面側へ、その後、該下面側から前記収容領域に対向しない領域を介して前記上面側に戻るように導く移動支援手段と、
前記収容領域の下面部分にて前記移動経路上に進退可能に設けられた第１の係止手段と、
前記第１の係止手段よりも前記シート搭載手段１つ分前記収容領域の上面側にて前記移動経路上に進退可能に設けられた第２の係止手段と、
前記収容領域の上面部分から前記移動経路の上流側にて前記移動経路上に進退可能に設けられた第３の係止手段と、
前記第３の係止手段よりも前記シート搭載手段１つ分前記移動経路の上流側にて前記移動経路上に進退可能に設けられた第４の係止手段とを有し、
前記制御手段は、前記第１、第２、第３及び第４の係止手段が前記移動経路上に進出し、かつ、前記収容領域にて前記移動経路上に停止しているシート搭載手段に薄型シート状物が搭載された状態から前記第１の係止手段に当接することによって前記移動経路上にて停止しているシート搭載手段に搭載された薄型シート状物が排出された後、前記第１の係止手段を前記移動経路上から退避させ、前記排出された薄型シート状物が搭載されていたシート搭載手段が前記移動経路上を移動した後、前記第１の係止手段を前記移動経路上に進出させ、その後、前記第２の係止手段を前記移動経路上から退避させ、前記第２の係止手段に当接することによって前記移動経路上にて停止していたシート搭載手段が前記移動経路上を移動して前記第１の係止手段に当接することによって前記移動経路上にて停止した後、前記第２の係止手段を前記移動経路上に進出させ、その後、前記第３の係止手段を前記移動経路上から退避させ、前記第３の係止手段に当接することによって前記移動経路上にて停止していたシート搭載手段が前記移動経路上を移動して前記収容領域に導かれた後、前記第３の係止手段を前記移動経路上に進出させ、その後、前記第４の係止手段を前記移動経路上から退避させ、前記第４の係止手段に当接することによって前記移動経路上にて停止していたシート搭載手段が前記移動経路上を移動して前記第３の係止手段に当接することによって前記移動経路上にて停止した後、前記第４の係止手段を前記移動経路上に進出させる制御と、前記第３の係止手段が前記移動経路上から退避することにより前記第３の係止手段に当接することによって前記移動経路上にて停止していたシート搭載手段が前記収容領域に導かれた後に前記収容領域に薄型シート状物を供給する制御とを行うシートストッカ。
【請求項２】
請求項１に記載のシートストッカにおいて、
前記２つのシート搬送機構のそれぞれは、前記収容領域の上面部分にて前記移動経路上に進退可能に設けられた第５の係止手段を有し、
前記制御手段は、前記第５の係止手段が前記移動経路上に進出している状態にて前記第３の係止手段を前記移動経路上から退避させ、前記第３の係止手段に当接することによって前記移動経路上にて停止していたシート搭載手段が前記移動経路上を移動して前記第５の係止手段に当接することによって前記移動経路上にて停止した後に前記収容領域に薄型シート状物を供給し、その後、前記第５の係止手段を前記移動経路から退避させ、前記第５の係止手段に当接することによって前記移動経路上にて停止していたシート搭載手段が前記移動経路上を移動した後に前記第５の係止手段を前記移動経路上に進出させるシートストッカ。
【発明の詳細な説明】
【技術分野】
【０００１】
本発明は、フィルムやラベル等の薄型シート状物を収容するシートストッカに関し、特に、収容された薄型シート状物が１枚ずつ排出される際に静電気等によって複数枚同時に排出されてしまうことを回避する技術に関する。
【背景技術】
【０００２】
近年、情報化社会の進展に伴い、情報が書き込まれたカードによってショッピング等を利用可能とするサービスが行われている。このようなサービスにおいては、予め所定のカードにその用途に応じて決められた情報を書き込んでおき、サービスを利用する場合に、カードに書き込まれた情報を読み取り、読み取った情報を用いてサービスの提供が行われる。
【０００３】
このようなカードを製造する場合、例えば、複数のカードがマトリックス状となって構成されるカード基材からカードが１枚ずつ打ち抜かれ、その後、一旦積み重ねられてストックされる。積み重ねられたカードは１枚ずつ排出されて検査等の工程に送られる。ところが、複数枚積み重ねられたカードにおいては、カード間の摩擦力等によって静電気が生じており、そのため、カードが１枚ずつ排出される際、その静電気によって複数枚のカードが同時に排出されてしまい、検査等の次の工程が正常に行われなくなってしまう虞れがある。
【０００４】
ここで、積み重ねられた複数枚のカードを最下面のカードから１枚ずつ排出する構成において、積み重ねられたカードの一部をその側面から挟み込むことにより、最下面のカードにかかる負荷を低減する機構が考えられており、特許文献１に開示されている。そこで、この機構を用いて、積み重ねられた複数枚のカードを互いに密着しないようにその側面から挟み込むことにより、カードが１枚ずつ排出される際、静電気によって複数枚のカードが同時に排出されてしまうことを回避することが考えられる。
【先行技術文献】
【特許文献】
【０００５】
【特許文献１】特開２００４−２３８１０１号公報
【発明の概要】
【発明が解決しようとする課題】
【０００６】
近年、上述したようなカードとして、カードに対して非接触状態にて情報の書き込みや読み出しを行うことが可能なＩＣが搭載された非接触型ＩＣカードがその優れた利便性から急速な普及が進みつつあるが、このような非接触型ＩＣカードは、フィルム基材上に、アンテナが形成されるとともにこのアンテナを介して非接触状態にて情報の書き込みや読み出しが可能なＩＣチップが搭載されたインレットと呼ばれる部品が内蔵されている。そして、このようなインレットにおいても、非接触型ＩＣカードの製造工程において、上述したように複数枚が積層された状態でストックされることが考えられる。
【０００７】
そのため、上述したインレットや、フィルムあるいはラベルのような薄型シート状物においても、複数枚が積み重ねられた状態から１枚ずつ排出される際、その静電気によって複数枚が同時に排出されてしまうことを回避するために、上記のように互いに密着しないように保持しておくことが好ましい。
【０００８】
しかしながら、フィルムやラベルのような薄型シート状物は、カードと比べて容易に変形可能なものであることから、上述したように側面から挟み込むことができず、カードのように互いに密着しないように保持することができないという問題点がある。また、積み重ねられたフィルムやラベルの一部をその側面から挟み込む場合に、その挟み込み方によっては、フィルムやラベルを連続して排出する際にその排出領域にフィルムやラベルが存在しない、いわゆる歯抜けが生じてしまう虞れがある。
【０００９】
本発明は、上述したような従来の技術が有する問題点に鑑みてなされたものであって、薄型シート状物を天地方向に積層した状態で保持する場合に薄型シート状物どうしが密着しないように、かつ、収容された複数の薄型シート状物を確実に連続して排出することができるシートストッカを提供することを目的とする。
【課題を解決するための手段】
【００１０】
上記目的を達成するために本発明は、
薄型シート状物を天地方向に積層した状態で収容可能に構成され、上面側から供給された薄型シート状物が収容され、収容した薄型シート状物が下面側から排出される収容領域を有するシートストッカであって、
前記収容領域を挟んで対向して設けられた２つのシート搬送機構と、
前記２つのシート搬送機構の動作を制御する制御手段とを有し、
前記２つのシート搬送機構のそれぞれは、
前記収容領域の上面側から下面側に延び、該下面側から前記収容領域に対向しない領域を介して前記上面側に戻るようにループ状に設けられた移動経路と、
前記移動経路上を移動可能に設けられ、前記収容領域に供給された薄型シート状物が搭載される複数のシート搭載手段と、
前記複数のシート搭載手段を、前記移動経路上にて前記収容領域の上面側から下面側へ、その後、該下面側から前記収容領域に対向しない領域を介して前記上面側に戻るように導く移動支援手段と、
前記収容領域の下面部分にて前記移動経路上に進退可能に設けられた第１の係止手段と、
前記第１の係止手段よりも前記シート搭載手段１つ分前記収容領域の上面側にて前記移動経路上に進退可能に設けられた第２の係止手段と、
前記収容領域の上面部分から前記移動経路の上流側にて前記移動経路上に進退可能に設けられた第３の係止手段と、
前記第３の係止手段よりも前記シート搭載手段１つ分前記移動経路の上流側にて前記移動経路上に進退可能に設けられた第４の係止手段とを有し、
前記制御手段は、前記第１、第２、第３及び第４の係止手段が前記移動経路上に進出し、かつ、前記収容領域にて前記移動経路上に停止しているシート搭載手段に薄型シート状物が搭載された状態から前記第１の係止手段に当接することによって前記移動経路上にて停止しているシート搭載手段に搭載された薄型シート状物が排出された後、前記第１の係止手段を前記移動経路上から退避させ、前記排出された薄型シート状物が搭載されていたシート搭載手段が前記移動経路上を移動した後、前記第１の係止手段を前記移動経路上に進出させ、その後、前記第２の係止手段を前記移動経路上から退避させ、前記第２の係止手段に当接することによって前記移動経路上にて停止していたシート搭載手段が前記移動経路上を移動して前記第１の係止手段に当接することによって前記移動経路上にて停止した後、前記第２の係止手段を前記移動経路上に進出させ、その後、前記第３の係止手段を前記移動経路上から退避させ、前記第３の係止手段に当接することによって前記移動経路上にて停止していたシート搭載手段が前記移動経路上を移動して前記収容領域に導かれた後、前記第３の係止手段を前記移動経路上に進出させ、その後、前記第４の係止手段を前記移動経路上から退避させ、前記第４の係止手段に当接することによって前記移動経路上にて停止していたシート搭載手段が前記移動経路上を移動して前記第３の係止手段に当接することによって前記移動経路上にて停止した後、前記第４の係止手段を前記移動経路上に進出させる制御と、前記第３の係止手段が前記移動経路上から退避することにより前記第３の係止手段に当接することによって前記移動経路上にて停止していたシート搭載手段が前記収容領域に導かれた後に前記収容領域に薄型シート状物を供給する制御とを行う。
【００１１】
上記のように構成された本発明においては、薄型シート状物が収容される収容領域を挟んで対向して設けられた２つのシート搬送機構において、第１、第２、第３及び第４の係止手段が移動経路上に進出しており、収容領域にて停止している複数のシート搭載手段のそれぞれに薄型シート状物が搭載されることにより薄型シート状物が収容領域に積層されて収容された状態から、第１の係止手段に当接することによって移動経路上にて停止しているシート搭載手段に搭載された薄型シート状物が排出された後、第１の係止手段が移動経路上から退避することにより、排出された薄型シート状物が搭載されていたシート搭載手段が移動支援手段によって移動経路上を移動する。その後、第１の係止手段が移動経路上に進出し、また、第２の係止手段が移動経路上から退避することにより、第２の係止手段に当接することによって移動経路上にて停止していたシート搭載手段が移動経路上を移動して第１の係止手段に当接することによって移動経路上にて停止する。その後、第２の係止手段が移動経路上に進出し、また、第３の係止手段が移動経路上から退避することにより、第３の係止手段に当接することによって移動経路上にて停止していたシート搭載手段が移動経路上を移動して収容領域に導かれる。その後、第３の係止手段が移動経路上に進出し、また、第４の係止手段が移動経路上から退避することにより、第４の係止手段に当接することによって移動経路上にて停止していたシート搭載手段が移動経路上を移動して第３の係止手段に当接することによって移動経路上にて停止する。その後、第４の係止手段が移動経路上に進出することにより、第１、第２、第３及び第４の係止手段が移動経路上に進出している状態に戻る。そして、第３の係止手段が移動経路上から退避することにより第３の係止手段に当接することによって移動経路上にて停止していたシート搭載手段が収容領域に導かれた後に収容領域に薄型シート状物が供給される。
【００１２】
このように、収容領域に供給された複数の薄型シート状物は、収容領域にて停止している複数のシート搭載手段にそれぞれ搭載された状態で収容されており、複数の薄型シート状物どうしが密着しないように保持される。また、収容領域の下面側から薄型シート状物が排出される度に、その薄型シート状物が搭載されていたシート搭載手段が収容領域から移動し、他のシート搭載手段が収容領域にその上面側から移動し、そのシート搭載手段に薄型シート状物が搭載されることにより、収容領域に収容された複数の薄型シート状物の間に、薄型シート状物が存在しない、いわゆる歯抜けが生じることがなく、収容された複数枚の薄型シート状物が確実に連続して排出されることになる。
【００１３】
また、２つのシート搬送機構のそれぞれに、収容領域の上面部分にて移動経路上に進退可能な第５の係止手段を設け、第５の係止手段が移動経路上に進出している状態にて第３の係止手段を移動経路上から退避させ、第３の係止手段に当接することによって移動経路上にて停止していたシート搭載手段が移動経路上を移動して第５の係止手段に当接することによって移動経路上にて停止した後に収容領域に薄型シート状物を供給し、その後、第５の係止手段を移動経路から退避させ、第５の係止手段に当接することによって移動経路上にて停止していたシート搭載手段が移動経路上を移動した後に第５の係止手段を移動経路上に進出させれば、収容領域の上面側から供給された薄型シート状物が空気の抵抗等によってふらつくことなくシート搭載手段に搭載されることになる。
【発明の効果】
【００１４】
以上説明したように本発明においては、収容領域に供給された複数の薄型シート状物が、収容領域にて停止している複数のシート搭載手段にそれぞれ搭載された状態で収容されることになるため、複数の薄型シート状物どうしが密着しないように保持することができる。また、収容領域の下面側から薄型シート状物が排出される度に、その薄型シート状物が搭載されていたシート搭載手段が収容領域から移動し、他のシート搭載手段が収容領域にその上面側から移動し、そのシート搭載手段に薄型シート状物が搭載されることにより、収容領域に収容された複数の薄型シート状物の間に、薄型シート状物が存在しない、いわゆる歯抜けが生じることがなく、収容された複数の薄型シート状物を確実に連続して排出することができる。
【００１５】
また、２つのシート搬送機構のそれぞれが、収容領域の上面部分にて移動経路上に進退可能に設けられた第５の係止手段を有し、第５の係止手段が移動経路上に進出している状態にて第３の係止手段を移動経路上から退避させ、第３の係止手段に当接することによって移動経路上にて停止していたシート搭載手段が移動経路上を移動して第５の係止手段に当接することによって移動経路上にて停止した後に収容領域に薄型シート状物を供給し、その後、第５の係止手段を移動経路から退避させ、第５の係止手段に当接することによって移動経路上にて停止していたシート搭載手段が移動経路上を移動した後に第５の係止手段を移動経路上に進出させるものにおいては、収容領域の上面側から供給された薄型シート状物を、空気の抵抗等によってふらつくことなくシート搭載手段に搭載することができる。
【図面の簡単な説明】
【００１６】
【図１】本発明のシートストッカの実施の一形態を示す図であり、（ａ）は外観斜視図、（ｂ）は（ａ）に示したシート搬送機構の詳細な構造を示す図である。
【図２】図１に示したシートストッカに収容される薄型シート状物の一例を示す図であり、（ａ）は表面図、（ｂ）は（ａ）に示したＡ−Ａ’断面図、（ｃ）は（ａ）に示したインレットシートが連続状となった状態を示す図である。
【図３】図２に示したインレットシートが図１に示したシートストッカに収容される際のシートストッカの動作を説明するための図である。
【図４】図２に示したインレットシートが図１に示したシートストッカに収容される際のシートストッカの動作を説明するための図である。
【図５】図２に示したインレットシートが図１に示したシートストッカに収容される際のシートストッカの動作を説明するための図である。
【図６】図２に示したインレットシートが図１に示したシートストッカに収容される際のシートストッカの動作を説明するための図である。
【図７】図２に示したインレットシートが図１に示したシートストッカに収容される際のシートストッカの動作を説明するための図である。
【図８】図２に示したインレットシートが図１に示したシートストッカに収容される際のシートストッカの動作を説明するための図である。
【図９】図２に示したインレットシートが図１に示したシートストッカに収容される際のシートストッカの動作を説明するための図である。
【図１０】図２に示したインレットシートが図１に示したシートストッカに収容される際のシートストッカの動作を説明するための図である。
【図１１】図２に示したインレットシートが図１に示したシートストッカに収容される際のシートストッカの動作を説明するための図である。
【図１２】図２に示したインレットシートが図１に示したシートストッカに収容される際のシートストッカの動作を説明するための図である。
【図１３】図２に示したインレットシートが図１に示したシートストッカに収容される際のシートストッカの動作を説明するための図である。
【図１４】図２に示したインレットシートが図１に示したシートストッカに収容される際のシートストッカの動作を説明するための図である。
【図１５】図２に示したインレットシートが図１に示したシートストッカに収容される際のシートストッカの動作を説明するための図である。
【図１６】図２に示したインレットシートが図１に示したシートストッカに収容される際のシートストッカの動作を説明するための図である。
【発明を実施するための形態】
【００１７】
以下に、本発明の実施の形態について図面を参照して説明する。
【００１８】
図１は、本発明のシートストッカの実施の一形態を示す図であり、（ａ）は外観斜視図、（ｂ）は（ａ）に示したシート搬送機構１０ａ，１０ｂの詳細な構造を示す図である。
【００１９】
本形態は図１に示すように、制御手段となるコントロールユニット２０に接続された２つのシート搬送機構１０ａ，１０ｂが、薄型シート状物が天地方向に積層された状態で収容される収容領域３０を介して対向して配置された構成となっている。
【００２０】
２つのシート搬送機構１０ａ，１０ｂのそれぞれには、収容領域３０に対向する側面にて収容領域３０の上面側から下面側に延び、さらに、そこから底面、収容領域３０に対向する側面に対向する側面、上面に延びて、収容領域３０に対向する側面の収容領域３０の上面側に戻る移動経路１１が設けられている。すなわち、移動経路１１は、収容領域３０の上面側から下面側に延び、その下面側から収容領域３０に対向しない領域を介して収容領域３０の上面側に戻るようにループ状となっている。２つのシート搬送機構１０ａ，１０ｂの内部には、移動経路１１に沿って１方向に回転するベルト１５が設けられており、このベルト１５の表面には複数の磁石１４が取り付けられている。これらベルト１５と磁石１４とから本発明における移動支援手段が構成されている。
【００２１】
２つのシート搬送機構１０ａ，１０ｂのそれぞれの移動経路１１上には、シート搭載手段となる複数のインレット区分器１２が移動可能に配置されている。このインレット区分器１２は、磁石を内蔵するとともにシート搬送機構１０ａ，１０ｂに当接する面に切欠部１２ｃを有するインレット搬送部１２ａに、収容領域３０に収容される薄型シート状物の端部が搭載されるインレット搭載板１２ｂが取り付けられて構成されており、磁石１４によって移動経路１１上に吸着された状態でベルト１５が回転することによって磁石１４の移動に伴って移動経路１１上を移動する。なお、移動経路１１は、このようにベルト１５に取り付けられた磁石１４の移動に伴ってインレット区分器１２が移動する経路であって、実際には、レール等が設けられているわけではなく、磁石１４の移動経路に対向する領域に生じているものである。
【００２２】
また、２つのシート搬送機構１０ａ，１０ｂのそれぞれの収容領域３０に対向する側面には、第１の係止手段となるストッパー４１と、第２の係止手段となるストッパー４２と、第５の係止手段となるストッパー４５とが移動経路１１上に進退可能に設けられている。ストッパー４１は、収容領域３０の下面部分に設けられており、ストッパー４２は、ストッパー４１よりもインレット区分器１２の１つ分、収容領域３０の上面側に設けられており、ストッパー４５は、収容領域３０の上面部分に設けられている。また、２つのシート搬送機構１０ａ，１０ｂのそれぞれの上面、すなわち、収容領域３０の上面部分から移動経路１１の上流側には、第３の係止手段となるストッパー４３と、第４の係止手段となるストッパー４４とが移動経路１１上に進退可能に設けられている。ストッパー４３は、シート搬送機構１０ａ，１０ｂの上面の収容領域３０の上面部分の近傍に設けられており、ストッパー４４は、ストッパー４３よりもインレット区分器１２の１つ分、移動経路１１の上流側に設けられている。
【００２３】
コントロールユニット２０は、収容領域３０にその上面側から薄型シート状物を供給する制御と、収容領域３０に収容された薄型シート状物をその下面側から排出する制御と、ストッパー４１〜４５の移動経路１１上への進退の制御とを行う。
【００２４】
以下に、上記のように構成されたシートストッカ１の動作について説明する。
【００２５】
まず、このシートストッカ１に収容される薄型シート状物について説明する。
【００２６】
図２は、図１に示したシートストッカ１に収容される薄型シート状物の一例を示す図であり、（ａ）は表面図、（ｂ）は（ａ）に示したＡ−Ａ’断面図、（ｃ）は（ａ）に示したインレットシート２が連続状となった状態を示す図である。
【００２７】
図１に示したシートストッカ１に収容される薄型シート状物としては、例えば、図２に示すようなインレットシート２が考えられる。
【００２８】
このインレットシート２は図２（ａ），（ｂ）に示すように、フィルム基材３上に、２つの導電体部５ａ，５ｂが対向して形成されているとともに、この導電体部５ａ，５ｂに接続されるようにＩＣチップ４が搭載されて構成されている。そして、カード基材に内蔵されたり、紙やラベル基材に貼着されたりして使用され、外部に設けられた情報書込／読出装置（不図示）に近接させることにより、２つの導電体部５ａ，５ｂからなるアンテナ５が情報書込／読出装置からの電波に共振して電力が生じ、この電力がＩＣチップ４に供給され、それにより、非接触状態において、情報書込／読出装置からＩＣチップ４に情報が書き込まれたり、ＩＣチップ４に書き込まれた情報が情報書込／読出装置にて読み出されたりする。
【００２９】
このようなインレットシート２は、図２（ｃ）に示すように、連続状となって製造され、その後、検査が行われて単片状に断裁される。そして、検査の結果、良品と判定されたもののみが、シートストッカ１に収容されることになる。
【００３０】
次に、図２に示したインレットシート２が図１に示したシートストッカ１に収容される際のシートストッカ１の動作を説明する。
【００３１】
図３〜図１６は、図２に示したインレットシート２が図１に示したシートストッカ１に収容される際のシートストッカ１の動作を説明するための図である。
【００３２】
まず、初期状態として、図３（ａ）に示すように、ストッパー４１〜４５が全て移動経路１１上に進出しており、それにより、インレット区分器１２が、このストッパー４１〜４４に当接することによって停止しており、２つのシート搬送機構１０ａ，１０ｂのそれぞれの収容領域３０に対向する側面にてストッパー４１，４２にそれぞれ当接することによって停止している二対のインレット区分器１２と、ストッパー４２に当接することによって停止している一対のインレット区分器１２に当接することによって停止している一対のインレット区分器１２にそれぞれインレットシート２の端部が搭載されて収容領域３０に３枚のインレットシート２が収容されているものとする。なお、磁石１４が取り付けられたベルト１５は常時回転しているため、ストッパー４１〜４５に当接していないインレット区分器１１は、移動経路１１上を移動している。またこの際、ストッパー４１〜４４は、図３（ｂ）に示すように、インレット区分器１２に設けられた切欠部１２ｃに入り込むようにして移動経路１１上に進出してインレット区分器１２に当接している。
【００３３】
この状態から、図４に示すように、収容領域３０に収容された３枚のインレットシート２のうち、収容領域３０の最下面に収容されたインレットシート２がコントロールユニット２０の制御によって排出されると、コントロールユニット２０の制御によって、まず、図５に示すように、排出されたインレットシート２が搭載されていたインレット区分器１２に当接していたストッパー４１が移動経路１１上から退避する。
【００３４】
すると、図６に示すように、排出されたインレットシート２が搭載されていたインレット区分器１２が、ベルト１５に取り付けられた磁石１４の移動に伴って移動経路１１上を移動していく。この際、移動経路１１上を移動していくインレット区分器１２に収容領域３０の上面側に隣接していたインレット区分器１２は、ストッパー４２に当接しているため、移動経路１１上を移動しない。
【００３５】
次に、コントロールユニット２０の制御によって、図７に示すように、ストッパー４１が移動経路１１上に再度進出する。
【００３６】
次に、コントロールユニット２０の制御によって、図８に示すように、ストッパー４２が移動経路１１上から退避する。
【００３７】
すると、図９に示すように、退避したストッパー４２に当接していたインレット区分器１２が移動経路１１上を移動し、ストッパー４１に当接して移動経路１１上に停止する。この際、退避したストッパー４２に当接していたインレット区分器１２に当接していたインレット区分器１２も移動経路１１上を移動し、ストッパー４１に当接して停止したインレット区分器１２とともに移動経路１１上に停止する。
【００３８】
次に、コントロールユニット２０の制御によって、図１０に示すように、ストッパー４２が移動経路１１上に再度進出する。
【００３９】
次に、コントロールユニット２０の制御によって、図１１に示すように、ストッパー４３が移動経路１１上から退避する。
【００４０】
すると、図１２に示すように、退避したストッパー４３に当接していたインレット区分器１２が移動経路１１上を移動し、ストッパー４５に当接して移動経路１１上に停止する。この際、移動経路１１上を移動していくインレット区分器１２に移動経路１１の上流側に隣接していたインレット区分器１２は、ストッパー４４に当接しているため、移動経路１１上を移動しない。
【００４１】
次に、コントロールユニット２０の制御によって、図１３に示すように、ストッパー４３が移動経路１１上に再度進出する。
【００４２】
次に、コントロールユニット２０の制御によって、図１４に示すように、ストッパー４４が移動経路１１上から退避し、また、コントロールユニット２０の制御によって、収容領域３０の上面側からインレットシート２が供給され、このインレットシート２が、ストッパー４５に当接することによって移動経路１１上にて停止しているインレット区分器１２に搭載される。ここで、ストッパー４５が収容領域３０の上面部分に設けられているため、収容領域３０の上面側から供給されたインレットシート２が空気の抵抗等によってふらつくことなくインレット区分器１２に搭載されることになる。
【００４３】
ストッパー４４が移動経路１１上から退避すると、図１５に示すように、退避したストッパー４４に当接していたインレット区分器１２が移動経路１１上を移動し、ストッパー４３に当接して移動経路１１上に停止する。この際、退避したストッパー４４に当接していたインレット区分器１２に当接していたインレット区分器１２も移動経路１１上を移動し、ストッパー４３に当接して停止したインレット区分器１２とともに移動経路１１上に停止する。また、コントロールユニット２０の制御によって、ストッパー４５が移動経路１１上から退避する。
【００４４】
ストッパー４５が移動経路１１上から退避すると、図１６に示すように、退避したストッパー４５に当接していたインレット区分器１２が移動経路１１上を移動し、ストッパー４２に当接することによって移動経路１１上を停止しているインレット区分器１２に当接して停止する。また、コントロールユニット２０の制御によって、ストッパー４４が移動経路１１上に再度進出し、図３（ａ）に示した初期状態に戻る。
【００４５】
そして、収容領域３０の最下面に収容されたインレットシート２がコントロールユニット２０の制御によって排出される度に、上述した動作が繰り返し行われることになる。
【００４６】
このように、本形態においては、収容領域３０に供給された複数のインレットシート２が、収容領域３０にて停止している複数のインレット区分器１２にそれぞれその端部が搭載された状態で収容されることになるため、複数のインレットシート２どうしが密着しないように保持することができる。また、収容領域３０の下面側からインレットシート２が排出される度に、そのインレットシート２が搭載されていたインレット区分器１２が収容領域３０から移動し、他のインレット区分器１２が収容領域３０にその上面側から移動し、そのインレット区分器１２にインレットシート２が搭載されることにより、収容領域３０に収容された複数のインレットシート２の間に、インレットシート２が存在しない、いわゆる歯抜けが生じることがなく、収容された複数枚のインレットシート２を確実に連続して排出することができる。
【００４７】
なお、本形態においては、収容領域３０の上面側から供給されたインレットシート２を空気の抵抗等によってふらつくことなくインレット区分器１２に搭載するために、収容領域３０の上面側にストッパー４５を設けているが、インレットシート２の材質や厚さ等によっては、このストッパー４５を設ける必要はない。
【００４８】
また、本形態においては、インレット区分器１２に磁石を内蔵させるとともに、磁石１４が取り付けられたベルト１５をシート搬送機構１０ａ，１０ｂの内部にて回転させることにより、インレット区分器１２を磁石１４の移動に伴って移動経路１１上にて移動させるものを例に挙げて説明したが、インレット区分器１２を移動経路１１上にて移動させる手段はこれに限らない。ただし、インレット区分器１２がストッパー４１〜４５に当接した場合に移動経路１１上にて停止するものである必要がある。
【００４９】
また、シート搬送機構の形状も図１に示したものに限らず、インレット区分器１２が、収容領域３０の上面側から下面側に移動し、その後、収容領域３０の下面側から収容領域３０に対向しない領域を介して収容領域３０の上面側に戻るように移動するような移動経路を実現するものであればよい。
【符号の説明】
【００５０】
１    シートストッカ
２    インレットシート
３    フィルム基材
４    ＩＣチップ
５    アンテナ
５ａ，５ｂ    導電体部
６    ラベル基材
１０ａ，１０ｂ    シート搬送機構
１１    移動経路
１２    インレット区分器
１２ａ    インレット搭載板
１２ｂ    インレット搬送部
１２ｃ    切欠部
１４    磁石
１５    ベルト
２０    コントロールユニット
３０    収容領域
４１〜４５    ストッパー
【図１】
0005779058.tif 000002
【図２】
0005779058.tif 000003
【図３】
0005779058.tif 000004
【図４】
0005779058.tif 000005
【図５】
0005779058.tif 000006
【図６】
0005779058.tif 000007
【図７】
0005779058.tif 000008
【図８】
0005779058.tif 000009
【図９】
0005779058.tif 000010
【図１０】
0005779058.tif 000011
【図１１】
0005779058.tif 000012
【図１２】
0005779058.tif 000013
【図１３】
0005779058.tif 000014
【図１４】
0005779058.tif 000015
【図１５】
0005779058.tif 000016
【図１６】
0005779058.tif 000017